(57)【要約】【課題】遊技機の内部に設けられた表示部に表示する表示内容をこっそり視認し難くすることができる遊技機を提供する。【解決手段】スロットマシンは、開閉可能な前面ドアが取り付けられた本体部を有し、前面ドアによって閉鎖される本体部の内部における所定位置に、所定情報を表示する表示部が設けられている。該表示部の表示内容について、前記前面ドアを所定幅開放したときに視認し難く、所定幅より広く開放したときに視認可能とする阻害部が形成されている。【選択図】図１０
2019058277.tif 000002
【特許請求の範囲】
【請求項１】
遊技を行う遊技機であって、
開閉可能な前面ドアが取り付けられた本体部と、
前記本体部の内部で所定情報を表示する表示部と、
前記所定情報の視認を阻害可能な阻害部と、を有し、
前記表示部に表示される前記所定情報は、前記前面ドアの開放幅が所定幅であるときに、前記前面ドアの開放幅が前記所定幅より広い特定幅であるときよりも視認し難くなるように前記阻害部によって視認が阻害されることを特徴とする遊技機。
【発明の詳細な説明】
【技術分野】
【０００１】
本発明は、パチンコ遊技機やスロットマシン等の遊技機に関する。
【背景技術】
【０００２】
パチンコ遊技機やスロットマシン等の遊技機には、例えば、遊技の進行を制御するＩＣチップが搭載された基板などが基板ボックスに収容されたものがある（例えば、特許文献１参照）。また、基板ボックス内には、設定値などの情報を表示する表示部が設けられている。
【先行技術文献】
【特許文献】
【０００３】
【特許文献１】特開２０１４−７６２９２号公報
【発明の概要】
【発明が解決しようとする課題】
【０００４】
上記特許文献１に開示された遊技機では、表示部を容易に見ることができる。このため、遊技機の内部に設けられた表示部の表示内容が、例えば不正にこっそり見られるような場合にも、その防止が難しかった。
【０００５】
そこで、本発明の課題は、遊技機の内部に設けられた表示部に表示する表示内容をこっそり視認し難くすることができる遊技機を提供することである。
【課題を解決するための手段】
【０００６】
（１）本発明の遊技機は、遊技を行う遊技機（例えば、スロットマシン１等）であって、
開閉可能な前面ドア（例えば、前面扉１ｂ等）が取り付けられた本体部（例えば、筐体１ａ等）と、
前記本体部の内部で所定情報（例えば、設定値等）を表示する表示部（例えば、セグメント表示装置８における表示部８Ａ等）と、
前記所定情報の視認を阻害可能な阻害部（例えば、蓋部材５０における没入部５３の底板部５３Ａ及び右側板部５３Ｃ等）と、を有し、
前記表示部に表示される前記所定情報は、前記前面ドアの開放幅が所定幅であるときに、前記前面ドアの開放幅が前記所定幅より広い特定幅であるときよりも視認し難くなるように前記阻害部によって視認が阻害される（例えば、セグメント表示装置８の表示部８Ａは、前面扉１ｂの開放幅が第２開放幅であるときに、前面扉１ｂの開放幅が第１開放幅であるときよりも視認し難くなるように没入部５３の底板部５３Ａ、右側板部５３Ｃ、さらに蓋部５１によって視認が阻害される等）ことを特徴とする。
【０００７】
このような構成によれば、遊技機の内部に設けられた表示部に表示する表示内容をこっそり視認し難くすることができる。
【０００８】
（２）上記（１）に記載の遊技機において、前記阻害部は、前記前面ドアの開放幅が前記所定幅であるときに前記所定情報を覗き込める所定位置と前記表示部とを結ぶ直線上に設けられる（例えば、視点Ｂとセグメント表示装置８を結ぶ直線上には、蓋部材５０における没入部５３の底板部５３Ａ及び右側板部５３Ｃが介在される等）ことにより、前記所定情報の視認を阻害する(没入部５３の底板部５３Ａ、右側板部５３Ｃにより、視点Ｂからセグメント表示装置８の表示部８Ａの視認を阻害する等)ようにしてもよい。
【０００９】
このような構成によれば、特定方向からは認識できるので、店員等による確認が必要な時の視認性が担保される。
【００１０】
（３）上記（１）または（２）の遊技機において、前記表示部と、前記所定情報に関する操作が行われる操作部（例えば、設定キースイッチ７及びリセットスイッチ９等）と、を被覆する被覆部（例えば、蓋部材５０等）を有し、
前記阻害部は前記被覆部に設けられている（例えば、蓋部材５０に没入部５３が設けられている等）ようにしてもよい。
【００１１】
このような構成によれば、被覆を解除することによって表示部を視認でき、係員等による確認が必要な時の視認性が担保される。
【００１２】
（４）上記（１）〜（３）のいずれかの遊技機において、前記表示部は、基板ボックス（例えば、基板ボックス１００等）に収容された基板（例えば、設定基板３等）に設けられており、
前記阻害部は前記基板ボックスに設けられている（例えば、基板ボックス１００における蓋部材５０に没入部が設けられている等）ようにしてもよい。
【００１３】
このような構成によれば、表示部の視認を阻害するための部品を新たに取り付ける必要がないようにできる。
【００１４】
（５）上記（４）において、前記阻害部は、前記基板ボックスの外郭（例えば、基板ボックス１００における蓋部材５０の蓋部５１等）から前記表示部に向いた壁部（例えば、基板ボックス１００の蓋部材５０における蓋部５１から奥方に凹む没入部５３の底板部５３Ａ及び右側板部５３Ｃ等）により構成されているようにしてもよい。
【００１５】
このような構成によれば、基板ボックスの外郭から外方に飛び出すような部分が生じないようにできる。
【図面の簡単な説明】
【００１６】
【図１】スロットマシンの前扉を開放した状態の斜視図である。
【図２】スロットマシンの前扉を開放した状態の正面図である。
【図３】スロットマシンの側面図である。
【図４】遊技機に設けられる基板ボックスの斜視図である。
【図５】基板ボックスを上側から見た分解斜視図である。
【図６】基板ボックスを下側から見た分解斜視図である。
【図７】蓋部材を外した基板ボックスの要部斜視図である。
【図８】（Ａ）は図７のＡ−Ａ線断面図、（Ｂ）は図７のＢ−Ｂ線断面図である。
【図９】セグメント表示装置及び蓋部材における没入部の拡大斜視図である。
【図１０】セグメント表示装置の表示部を覗く方向と前面扉の開閉状態との関係を説明する説明図である。
【図１１】セグメント表示装置の表示部を覗く方向と蓋部材における没入部との関係を説明する説明図である。
【発明を実施するための形態】
【００１７】
本発明に係る遊技機の一例である遊技機を実施するための形態を以下に説明する。なお、以下の実施形態において、各図面の比率等については、実際の比率等と異なることがある。図１は、スロットマシンの前扉を開放した状態の斜視図、図２は、スロットマシンの前扉を開放した状態の正面図、図３は、スロットマシンの側面図である。なお、以下の実施形態において、「上」「下」「左」「右」「奥」「手前」の各方向について、基板ボックス１００がスロットマシン１の筐体１ａに取り付けられた状態に基づいて説明する。図中のＸ方向が左右方向、Ｙ方向が上下方向、Ｚ方向が前後方向を意味する。また、各図面の寸法等については、実際の寸法等と異なることがある。
【００１８】
図１〜３に示すように、スロットマシン１は、前面が開口する筐体１ａと、この筐体１ａの側端に回動自在に枢支された前面扉１ｂとから構成されている。前面扉１ｂは、筐体１ａに対して回動することによって、筐体１ａの開口された前面側を開閉することができ、筐体１ａを開放したり閉鎖したりする。
【００１９】
スロットマシン１の筐体１ａの内部には、外周に複数種の図柄が配列されたリール１０２Ｌ、１０２Ｃ、１０２Ｒが水平方向に並設されたリール装置１０２を備えている。これらリール１０２Ｌ、１０２Ｃ、１０２Ｒに配列された図柄のうち連続する３つの図柄が前面扉１ｂに設けられた透視窓１０３から見えるように配置されている。
【００２０】
前面扉１ｂには、メダルを投入可能なメダル投入部やメダルが払い出されるメダル払出口、さらには、ＭＡＸＢＥＴスイッチ、精算スイッチ等が設けられている。また、前面扉１ｂの内側には、リセットスイッチ、打止スイッチ、自動精算スイッチ等が設けられている。筐体１ａの内部には、前述したリール１０２Ｌ、１０２Ｃ、１０２Ｒのほか、メダルを貯留するホッパータンク及びホッパーモータを備えるホッパーユニット１１０や電源ボックス１２０が設けられている。さらに、図１〜図３に示すように、筐体１ａの内側上方には、基板ボックス１００が設けられている。図２に示すように、基板ボックス１００は、リール１０２Ｌ、１０２Ｃ、１０２Ｒよりも上方位置に設けられている。また、図３に示すように、基板ボックス１００は、筐体１ａにおける奥板に固定されて取り付けられている。基板ボックス１００は、前面扉１ｂを開放した状態で店員等が筐体１ａの正面側における基板ボックス１００と同じ高さ位置に視点を置いて見たときに、店員等の視点と基板ボックス１００の間に介在物がない位置に配置されている。また、基板ボックス１００は、前面扉１ｂを閉鎖したときには、筐体１ａの外側からは、筐体１ａまたは前面扉１ｂに視線を妨げられて視認できないようにされている。
【００２１】
基板ボックス１００は、図５に示す主基板２が収容された主基板用の基板ボックスである。基板ボックス１００は、例えば、その裏面側がスロットマシン１における筐体の奥板に固定されて取り付けられる。図４〜６に示すように、基板ボックス１００は、取付ベース１０と、基板ケース２０と、基板カバー３０とを備えている。基板ボックス１００は、例えば、取付ベース１０がスロットマシン１における筐体の奥板に固定されてスロットマシン１に取り付けられている。基板ボックス１００における取付ベース１０は、図５及び図６に示すように、概略的な形状が横長の矩形をなす底板１１を備えている。底板１１は、矩形部分からその一部が適宜側方に飛び出す形状をなしている。底板１１の手前側の面には、上板部１２、下板部１３、左側板部１４、及び右側板部１５が設けられている。上板部１２、下板部１３、左側板部１４、及び右側板部１５は、底板１１の外縁に沿って立設されており、底板１１の手前側を囲っている。下板部１３の幅方向略中央における底板１１の反対側の縁には、切欠部１６が形成されている。この切欠部１６には、例えば、主基板２に接続される配線等が通過する。
【００２２】
なお、取付ベース１０には、切欠部１６が形成されているが、切欠部が形成されていない態様としてもよい。また、取付ベース１０、基板ケース２０、及び基板カバー３０は、横長の矩形とされているが、他の形状でもよく、略正方形上でもよいし、一部に曲線部が形成されているものでもよい。また、取付ベース１０における底板の周辺が上板部１２、下板部１３、左側板部１４、及び右側板部１５で囲まれているが、囲まれていなくてもよい。
【００２３】
取付ベース１０における底板１１の上には、基板ケース２０が取り付けられている。基板ケース２０は、取付ベース１０の底板１１上に載置される載置板２１を備えている。載置板２１の上縁及び下縁には、それぞれ上係合片２２及び下係合片２３が立設されている。上係合片２２と下係合片２３の奥側から手前方向への高さは、取付ベース１０の上板部１２及び下板部１３の高さよりも低くされている。また、上係合片２２と下係合片２３の高さは、取付ベース１０の上板部１２及び下板部１３における切欠部１６の高さよりも低くされている。このため、上下方向に取付ベース１０を見た際には、基板ケース２０の上係合片２２及び下係合片２３は、取付ベース１０の上板部１２及び下板部１３に隠されて視認できない状態になっている。
【００２４】
なお、載置板２１の全体が底板１１に載置されているが、載置板２１が底板１１からはみ出すようにしてもよい。また、上係合片２２と下係合片２３の高さが、取付ベース１０の上板部１２及び下板部１３の高さよりも低くされていることにより、不正用の器具などの侵入を抑制している。上係合片２２と下係合片２３の高さが、取付ベース１０の上板部１２及び下板部１３の高さと同じか高くてもよい。
【００２５】
基板ケース２０の上係合片２２及び下係合片２３には、幅方向に間隔をあけて係合溝２４，２４…がそれぞれ設けられている。係合溝２４は、略Ｌ字形状に切り込まれて形成されており、手前側から奥側に延びる切欠きと左側から右側に延びる切欠きによって形成されている。このうち、手前側から奥側に延びる切欠きは、左側から右側に延びる切欠きよりも短くされている。また、手前側から奥側に延びる切欠きと左側から右側に延びる切欠きの接続部分における角部分は、面取りされた面取り部とされている。
【００２６】
基板ケース２０における上係合片２２の内側（下側）には、上側位置決め片２５が設けられており、下係合片２３の内側（上側）には、下側位置決め片２６（図８（Ｂ）参照）が設けられている。上係合片２２と上側位置決め片２５、及び下係合片２３と下側位置決め片２６とは、いずれも略平行に配置されている。
【００２７】
上係合片２２と上側位置決め片２５との間、及び下係合片２３と下側位置決め片２６との間には、いずれも隙間が形成されている。この隙間は形成されておらず、上係合片２２と上側位置決め片２５、下係合片２３と下側位置決め片２６が密着していてもよい。上側位置決め片２５及び下側位置決め片２６の奥側から手前方向への高さは、同じ高さとされている。この上側位置決め片２５及び下側位置決め片２６の高さは、上係合片２２と下係合片２３の高さよりも低くされている。上側位置決め片２５及び下側位置決め片２６の奥側から手前方向への高さ位置は、係合溝２４の下辺よりも低い位置とされている。
【００２８】
基板ケース２０には、主基板２及び設定基板３が載置されている。主基板２及び設定基板３は、基板ケース２０における上側位置決め片２５及び下側位置決め片２６の上に載置されている。このため、主基板２及び設定基板３と基板ケース２０の載置板２１との間には、基板下空間が形成されている。主基板２は、基板ケース２０内における左右中心線よりも左寄りの位置に配置されており、設定基板３は、基板ケース２０内における左右中心線よりも右寄りの位置に配置されている。このため、主基板２の左端部は、筐体１ａの左側板の近傍位置に配置されており、設定基板３は、筐体１ａにおける右側板の近傍位置に配置されている。
【００２９】
主基板２は、左右方向の長さが上下方向の長さよりも長いいわば横長の略矩形状をなしており、基板ケース２０の載置板２１における左側部分に載置されている。主基板２の表面における右側端部には、主基板２の左端辺に沿って主基板２の上辺から下辺まで延在する右側溝部２Ａが設けられている。主基板２の右端側における上下方向略中央よりもやや高い位置には、図示しない主基板側コネクタが搭載されている。
【００３０】
主基板２の裏面における上側端部及び下側端部には、主基板２のそれぞれ上端辺及び下端辺に沿って主基板２の右辺から左辺まで延在する上側溝部２Ｂ及び下側溝部２Ｃが設けられている。上側溝部２Ｂ及び下側溝部２Ｃの上下方向の幅は、基板ケース２０における上側位置決め片２５及び下側位置決め片２６の厚さと略同一である。また、主基板２における下側には、コネクタ類が設けられるコネクタ類搭載領域２Ｄが設けられている。
【００３１】
主基板２には、マイクロコンピュータ４が搭載されている。マイクロコンピュータ４は、遊技の制御を司り、遊技の進行における主要な役割を果たしている。マイクロコンピュータ４は、主基板２の左端部に搭載されている。主基板２には、マイクロコンピュータ４以外の図示しない電子素子が複数搭載されている。
【００３２】
設定基板３は、左右方向よりも上下方向の方が長いいわば縦長の略矩形を有しており、基板ケース２０の載置板２１における右側部分に載置されている。設定基板３の上下方向の長さは、主基板２の上下方向の長さと略同一とされている。このため、主基板２と設定基板３を並べた際に、主基板２の上辺と設定基板３の上辺、及び主基板２の下辺と設定基板３の下辺とは連続するようになる。また、設定基板３の厚さは、主基板２の厚さと略同一である。設定基板３の左右方向の幅は、主基板２の左右方向の幅よりも狭くされており、具体的には、設定基板３の左右方向の幅は、主基板２の左右方向の幅の約１／７とされている。
【００３３】
設定基板３における左側端部には、設定基板３の表面から奥側方向に下がる左側溝部３Ａが形成されている。左側溝部３Ａは、設定基板３の右端辺に沿って設定基板３の上辺から下辺まで延在している。設定基板３の左側溝部３Ａの深さは、主基板２の右側溝部２Ａの深さと略同一である。また、設定基板３の右端側における上下方向略中央よりもやや高い位置には、設定基板側コネクタ６が搭載されている。設定基板側コネクタ６は、主基板側コネクタと接続可能とされている。
【００３４】
設定基板３には、設定基板側コネクタ６のほか、設定キースイッチ７、セグメント表示装置８、及びリセットスイッチ９が搭載されている。設定キースイッチ７、セグメント表示装置８、及びリセットスイッチ９は、設定基板３に設けられていることから、筐体１ａの内部における上方であって左右中心線よりも右寄りに配置され、右側板の近傍位置に配置されている。
【００３５】
設定キースイッチ７は、設定変更状態または設定確認状態に切り替えるためのスイッチである。設定キースイッチ７は、図７及び図８に示すように、円筒形状をなすシリンダ部７Ａと、シリンダ部７Ａの表面に形成されたキー挿入孔７Ｂとを備えている。また、シリンダ部７Ａは、シリンダ搭載台７Ｃに搭載されている。シリンダ部７Ａ及びシリンダ搭載台７Ｃは、いずれも奥側から手前側に延びるように設けられている。
【００３６】
設定キースイッチ７におけるキー挿入孔７Ｂには、図示しない設定キーが挿入可能とされている。設定キーは、例えば、スロットマシンが設置される遊技場における責任者などが所持する。キー挿入孔７Ｂに挿入された設定キーを回転させることにより、スロットマシンにおける設定変更及び設定確認を行うことができる。
【００３７】
セグメント表示装置８は、設定キースイッチ７の下側位置に設けられている。セグメント表示装置８は、台座部と、台座部の手前側に設けられた８つの点灯素子を備える表示部８Ａ（図１０参照）を備えている。台座部は、奥側から手前側に延びるように設けられており、奥側から手前側までの台座部の高さは、設定キースイッチ７におけるシリンダ部７Ａ及びシリンダ搭載台７Ｃの高さよりも低くされている。
【００３８】
表示部８Ａは、いわゆる７セグメントの表示装置であり、８つのランプのうち、７つのランプによって「８」の文字を形成し、残りの１つのランプによってドット（「．」）を形成している。この７セグメントによって、例えば「０」〜「９」までの文字やアルファベットの文字などを表示することができる。なお、表示部８Ａは、７セグメントの表示装置以外の表示装置でもく、例えば液晶表示装置でもよい。また、７セグメントの表示装置の場合でも、ドット（「．」）が設けられないようにしてもよい。
【００３９】
セグメント表示装置８には、例えば、設定キースイッチ７の操作によって定められる設定値が表示される。設定値は、適宜のタイミングでセグメント表示装置８に表示される。例えば、設定変更作業時などに設定キースイッチ７によって設定変更状態または設定確認状態に切り替えられたときにセグメント表示装置８の表示部８Ａに設定値が表示されるようにしてもよいし、設定表示スイッチを別途設けておき、この設定表示スイッチを操作することによってセグメント表示装置８の表示部８Ａに設定値が表示されるようにしてもよい。
【００４０】
リセットスイッチ９は、通常時においてはエラー状態や打止状態を解除するためのリセットスイッチとして機能し、設定変更状態においては払出率（出玉率）の設定値を変更するための設定スイッチとして機能するスイッチである。リセットスイッチ９は、セグメント表示装置８の下側位置に設けられている。リセットスイッチ９は、ボタン搭載部９Ａと、ボタン９Ｂとを備えている。ボタン搭載部９Ａは、ボタン９Ｂを搭載する台座である。ボタン搭載部９Ａは、奥側から手前側に延びるように設けられており、ボタン搭載部９Ａにおける奥側から手前側までの高さは、セグメント表示装置８における台座部の高さよりも低くされている。ボタン９Ｂは、略円筒形状をなしている。
【００４１】
セグメント表示装置８には、設定値の他、エラー状態や打止状態を示す記号が表示される。例えば、エラー状態のときには、アルファベットの「Ｅ」の文字がセグメント表示装置８の表示部８Ａに表示され、打止状態のときには、アルファベットの「Ｓ」の文字がセグメント表示装置８の表示部８Ａに表示される。また、設定変更状態においては払出率（出玉率）の設定値を変更するときや設定確認状態のときには、設定値が表示される。
【００４２】
基板カバー３０は、図６に示す隔壁４０を備えており、隔壁４０の左側に主基板収容部３０Ａが形成され、隔壁４０の右側に設定基板収容部３０Ｂが形成されている。基板カバー３０における主基板収容部３０Ａには、天板３１が設けられている。天板３１は、主基板２におけるコネクタ類搭載領域２Ｄを除いた部分よりやや小さい略同一の略矩形をなしている。天板３１の奥側の面には、上外枠片３２、下外枠片３３、及び左外枠片３４が設けられている。上外枠片３２、下外枠片３３、左外枠片３４、及び隔壁４０は、天板３１の外縁に沿って下方を向いて突設されており、天板３１の奥側を囲っている。
【００４３】
上外枠片３２の上奥側には、上係合部３５Ａが設けられている。上係合部３５Ａは、奥側を向いて開口する断面略コ字形状をなし、上外枠片３２に対して略平行に配置されている。上係合部３５Ａの外面（上面）は、取付ベース１０の上板部１２に近接して配置されている。
【００４４】
下外枠片３３の下奥側には、下係合部３５Ｂが設けられている。下係合部３５Ｂは、奥側を向いて開口する断面略コ字形状をなし、下外枠片３３に対して略平行に配置されている。下係合部３５Ｂの外面（下面）は、取付ベース１０の下板部１３に近接して配置されている。
【００４５】
上係合部３５Ａにおける開口部には、基板ケース２０の上係合片２２が挟み込まれている。また、下係合部３５Ｂにおける開口部には、基板ケース２０の下係合片２３が挟み込まれている。上係合部３５Ａ及び下係合部３５Ｂの開口部には、複数の係合突起３６が設けられている。係合突起３６は、基板ケース２０の上係合片２２及び下係合片２３にそれぞれ設けられた係合溝２４に対応する位置に設けられている。これらの係合突起３６には、それぞれ係合溝２４が係合されている。
【００４６】
図６に示すように、上係合部３５Ａの内側（下側）間には、上挟込部３７Ａが設けられている。下係合部３５Ｂの内側（上側）には、下挟込部３７Ｂが設けられている。上挟込部３７Ａは、基板ケース２０の上側位置決め片２５との間で主基板２の上側溝部２Ｂを挟み込んで保持しており、下挟込部３７Ｂは、基板ケース２０の下側位置決め片２６との間で主基板２の下側溝部２Ｃの下側端部を挟み込んで保持している。こうして、主基板２は、基板ケース２０及び基板カバー３０によって位置決めされて保持されている。
【００４７】
隔壁４０は、基板カバー３０における主基板２と設定基板３との接続部分に対応する位置に設けられている。図８（Ａ）に示すように、隔壁４０の奥側端部は、主基板２の右側溝部２Ａ及び左側溝部３Ａに入り込んでいる。このため、隔壁４０の奥側端部と主基板２及び設定基板３の表面とは、接触しないようにされている。この隔壁４０によって、基板ボックス１００内おいて、主基板２が設けられる領域と設定基板３が設けられる領域が仕切られている。なお、隔壁４０と主基板２及び設定基板３の表面が接触するようにしてもよい。また、隔壁４０は、主基板２の右側端部に近い側に配置されており、マイクロコンピュータ４は、主基板２の左側端部に近い位置に配置されている。こうして、マイクロコンピュータ４は、隔壁４０から離れて配置されている。
【００４８】
隔壁４０における上下方向の中央よりやや上側位置には、図６に示すように、切欠部４０Ａが設けられている。この切欠部４０Ａを介して、設定基板３における設定基板側コネクタ６が主基板収容部３０Ａ側に突出し、主基板２に設けられた主基板側コネクタに接続されている。切欠部４０Ａが設けられていることにより、設定基板側コネクタ６を主基板側コネクタに対して容易に接続することができる。また、設定基板３に搭載された設定キースイッチ７、セグメント表示装置８、及びリセットスイッチ９は、設定基板３に設けられた配線、主基板に設けられた配線、及びこれらの配線を接続する設定基板側コネクタ６及び主基板側コネクタを介してマイクロコンピュータ４に接続されている。
【００４９】
基板カバー３０における設定基板収容部３０Ｂには、天板部４１が設けられている。天板部４１は、板状の上段部４２と板状の下段部４３を備えており、全体として平面視した形状が設定基板３と略同一形状とされている。天板部４１の奥側の面には、上外枠片４４、下外枠片４５、及び右外枠片４６が設けられている。上外枠片４４、下外枠片４５、及び右外枠片４６は、天板部４１の外縁に沿って下方を向いて突設されており、天板部４１の奥側を囲っている。
【００５０】
天板部４１における上段部４２は、下段部４３よりの奥側から手前方向への高さが高くなっており、上段部４２と下段部４３の間には段差が設けられている。上段部４２は、設定キースイッチ７の手前側に配置され、下段部４３は、セグメント表示装置８及びリセットスイッチ９の手前側に配置されている。
【００５１】
図７に示すように、上段部４２の上下方向略中央部には、設定キー取付部４７が設けられている。設定キー取付部４７は、設定キースイッチ７に対応する位置に設けられており、設定キー取付部４７には、図８（Ｂ）にも示すように、上段開口部４７Ａが設けられている。上段開口部４７Ａは、設定キースイッチ７を操作するための開口部である。設定キースイッチ７は、上段開口部４７Ａを臨んで設けられている。このため、基板カバー３０の外側から設定キーを設定キースイッチ７のキー挿入孔７Ｂに挿入可能とされている。
【００５２】
上段開口部４７Ａは、略円形状をなしている。また、基板ケース２０に設けられた設定基板３から上段開口部４７Ａまでの距離は、設定キースイッチ７のシリンダ部７Ａ及びシリンダ搭載台７Ｃの奥側から手前方向への高さと略同一とされている。このため、円筒状の設定キースイッチ７におけるシリンダ部７Ａは、上段開口部４７Ａの近傍まで延在し、設定キースイッチ７のキー挿入孔７Ｂは、上段開口部４７Ａに近接した位置に配置されている。
【００５３】
下段部４３には、リセットスイッチ取付部４８が設けられている。リセットスイッチ取付部４８は、下段部４３におけるリセットスイッチ９に対応する位置に設けられている。リセットスイッチ取付部４８は、リセットスイッチを操作するための開口部である。リセットスイッチ９は、リセットスイッチ取付部４８を臨んで設けられている。このため、基板カバー３０の外側から遊技店の店員（責任者）などがリセットスイッチ９を操作可能とされている。リセットスイッチ取付部４８の前端には前端開口４８Ａが設けられ、奥端には奥端開口４８Ｂが設けられている。
【００５４】
前端開口４８Ａ及び奥端開口４８Ｂは、いずれも略円形状をなしており、前端開口４８Ａの面積は、奥端開口４８Ｂの面積よりも大きくなっている。前端開口４８Ａと奥端開口４８Ｂとの間には、前端開口４８Ａと奥端開口４８Ｂを繋ぐ側壁部４８Ｃが形成されている。側壁部４８Ｃは、すり鉢状をなしており、角のないなめらかな曲面状をなしている。
【００５５】
基板ケース２０に設けられた設定基板３から奥端開口４８Ｂまでの距離は、リセットスイッチ９におけるボタン搭載部９Ａの奥側から手前方向への高さと略同一とされている。また、リセットスイッチ９に設けられた円筒形状のボタン９Ｂの径は、奥端開口４８Ｂの径よりやや小さくされている。このため、リセットスイッチ９のボタン９Ｂは、奥端開口４８Ｂを通って、奥端開口４８Ｂよりも手前側に張り出している。前端開口４８Ａの径は、例えば１９ｍｍとされている。
【００５６】
設定基板３に設けられたセグメント表示装置８に対応する位置の前方には、下段部４３におけるリセットスイッチ取付部４８が設けられた位置の上方部分が位置している。セグメント表示装置８の奥側から手前方向への高さは、設定基板３と下段部４３の裏面までの距離よりやや短くされている。このため、セグメント表示装置８における表示部８Ａは、下段部４３に近接した位置に配置されている。
【００５７】
基板カバー３０は、光透過性部材で形成されており、透明となっている。このため、基板カバー３０を介して、基板カバー３０の外側から内側を視認可能とされている。このため、基板カバー３０の外側から、基板カバー３０の内側に配置された主基板２、設定基板３、設定キースイッチ７、及びセグメント表示装置８等が視認可能とされている。このため、基板カバー３０内で不正行為が実行されている際に、その不正行為を基板カバー３０の外側から見つけやすくなっている。また、隔壁４０も光透過性部材で形成されているため、基板カバー３０内の視認性をさらに良好なものにしている。なお、基板カバー３０は光透過性材料で形成されているが、取付ベース１０及び基板ケース２０については、光非透過性材料で形成されている。
【００５８】
基板カバー３０における天板部４１には、蓋部材５０が取り付けられている。蓋部材５０は、光透過性材料で形成されており、透明となっている。蓋部材５０は、蓋部５１を備えている。蓋部５１における左端部の上下位置には、図５及び図８（Ａ）に示すように、基板カバー３０に設けられた回転支持用の突起部４９Ａに嵌め込まれる孔部５５が設けられている。蓋部材５０は、突起部４９Ａが嵌め込まれた孔部５５を繋ぐ回転軸周りに回転することによって開閉可能とされている。蓋部材５０が閉鎖された状態では、蓋部材５０は、設定キー取付部４７の上段開口部４７Ａ、リセットスイッチ取付部４８の前端開口４８Ａ及び奥端開口４８Ｂを被覆している。また、蓋部材５０が開放されると、設定キー取付部４７の上段開口部４７Ａ、リセットスイッチ取付部４８の前端開口４８Ａ及び奥端開口４８Ｂの被覆状態が解放されて、設定キースイッチ７に設定キーを挿入可能となるとともに、リセットスイッチ９の操作が可能となる。
【００５９】
さらに、蓋部材５０における蓋部５１には、奥方に凹む没入部５３が設けられている。没入部５３は、セグメント表示装置８及びリセットスイッチ９の前方に設けられており、没入部５３は、天板部４１における上段部４２よりも奥方であり、下段部４３よりも手前位置まで延在している。
【００６０】
蓋部材５０における蓋部５１の右側端部であって、上下方向略中央位置には、摘み部５４が設けられている。遊技店の店員等は、蓋部材５０を開閉する際などにこの摘み部５４を摘むことができる。また、蓋部５１の右側端部には、図５及び図８（Ｂ）に示すように、基板カバー３０に設けられた嵌合突起４９Ｂに嵌合する嵌合孔５６が形成されている。蓋部材５０が閉じているときには、嵌合孔５６に嵌合突起４９Ｂが嵌りこみ、蓋部材５０が閉じた状態を維持している。また、嵌合突起は半球状であり、摘み部５４を所持して蓋部材５０を開放させることにより、嵌合状態から容易に解放されるようになっている。
【００６１】
図９に示すように、没入部５３は、底板部５３Ａを備えており、底板部５３Ａの四周には、左側板部５３Ｂ、右側板部５３Ｃ、上側板部５３Ｄ、及び下側板部５３Ｅが設けられている。底板部５３Ａの奥方にセグメント表示装置８が配置されている。また、図９には示さないが、底板部５３Ａの奥方にリセットスイッチ９が設けられている。
【００６２】
筐体１ａの外側からセグメント表示装置８を見るにあたって、筐体１ａの外側であって、セグメント表示装置８と同じ高さ位置における筐体１ａの右側板ぎりぎりを視線が通る位置に視点を置いたときに、視点とセグメント表示装置８との間には、没入部５３の底板部５３Ａ及び右側板部５３Ｃが介在される。筐体１ａの外側からセグメント表示装置８を見るにあたって、筐体１ａの真正面に視点を置いたときには、視点とセグメント表示装置８との間には、没入部５３の底板部５３Ａが介在される。
【００６３】
以上の構成を有する本実施形態に係るスロットマシン１における設定値は、払出率（出玉率）を調整する事項であり、スロットマシン１を設置する遊技店及び遊技者にとって重要な事項である。このため、例えば不正を働こうとする者が、例えば、設定基板３等に不正を働いて設定変更状態あるいは設定確認状態にしてセグメント表示装置８に設定値を表示させ、表示された設定値を覗くという事態が想定される。
【００６４】
ここで、セグメント表示装置８に表示される設定値等の表示内容をスロットマシン１の外側（筐体１ａの外側）から視認するためには、前面扉１ｂを開放することとなる。不正を働こうとする者は、通常、遊技店の目の届かないところで不正行為を実行するので、前面扉１ｂを開放するとしても、大きく開放するのは難しく、小さく開放する程度にとどめられることも多い。
【００６５】
上記のスロットマシン１において、前面扉１ｂの開放幅が大きく、例えば閉鎖時と開放時との前面扉１ｂの回転角度の差が約９０°とされた特定幅を第１開放幅とし、前面扉１ｂの開放幅が小さく、例えば閉鎖時と開放時との前面扉１ｂの回転角度の差が約５から２０°のいずれかの角度、例えば１０°とされた所定幅を第２開放幅とする。このとき、前面扉１ｂの開放幅を第１開放幅で開放して筐体１ａの外側からセグメント表示装置８を視認しようとすると、図１０に示すように、視点Ａからセグメント表示装置８を視認しようとしても、視点Ａとセグメント表示装置８との結ぶ直線上に前面扉１ｂが介在されない。このため、視点Ａからセグメント表示装置８を視認する際には、図１１に示すように、視点Ａとセグメント表示装置８の間には、蓋部材５０における没入部５３の底板部５３Ａのみが介在されているが、底板部５３Ａと右側板部５３Ｃとが設けられてはいない。いわば、視点Ａとセグメント表示装置８の表示部８Ａとを結ぶ直線上には、阻害部が設けられていない。底板部５３Ａは、透明の部材で構成されているので、外側から内側を視認することができる。したがって、前面扉１ｂを第１開放幅で開放したときには、視点Ａからは、セグメント表示装置８の表示部８Ａを容易に視認することができる。
【００６６】
また、前面扉１ｂを第２開放幅で開放して筐体１ａの外側からセグメント表示装置８を視認しようとすると、図１０に示すように、視点Ａからセグメント表示装置８を視認しようとしたときには、視点Ａとセグメント表示装置８との間に前面扉１ｂが介在されてしまう。このため、セグメント表示装置８との間に前面扉１ｂを介在させないようにするためには、視点Ｂからセグメント表示装置８を視認することになる。視点Ｂからセグメント表示装置８を視認する際には、図１１に示すように、視点Ｂとセグメント表示装置８を結ぶ直線上には、蓋部材５０における没入部５３の底板部５３Ａ及び右側板部５３Ｃといった阻害部が介在されており、視点Ａとセグメント表示装置８とを結ぶ直線上には、阻害部が設けられている。さらに、視点Ｂとセグメント表示装置８を結ぶ直線上には、蓋部５１も介在される。したがって、前面扉１ｂを第２開放幅で開放したときには、視点Ｂからは、セグメント表示装置８の表示部８Ａの視認が困難となる。よって、セグメント表示装置８の表示部８Ａは、前面扉１ｂの開放幅が第２開放幅であるときに、前面扉１ｂの開放幅が第１開放幅であるときよりも視認し難くなるように没入部５３の底板部５３Ａ、右側板部５３Ｃ、さらに蓋部５１によって視認が阻害される。
【００６７】
底板部５３Ａ及び右側板部５３Ｃは、いずれも透明の部材で構成されているものの、光透過率は１００％ではないので、底板部５３Ａを介在させる場合よりもセグメント表示装置８を見にくくなる。さらに、底板部５３Ａと右側板部５３Ｃの向きが異なるので、光の屈折などが生じることから、底板部５３Ａ及び右側板部５３Ｃを介して視点Ｂからセグメント表示装置８を視認する際には、セグメント表示装置８を非常に見にくくなる。このため、不正を働こうとする者が、前面扉１ｂの開放幅を第２開放幅として開放したときには、セグメント表示装置８に表示された設定値を覗こうとしても、視点Ｂからは、セグメント表示装置８を視認することが難しくなる。したがって、スロットマシン１の内部に設けられたセグメント表示装置８の表示部８Ａに表示する表示内容をこっそり視認し難くすることができる。
【００６８】
また、上記実施形態に係るスロットマシン１では、没入部５３の底板部５３Ａ及び右側板部５３Ｃは、前面扉１ｂの開放幅を第２開放幅としたときに覗き込める視点Ｂからセグメント表示装置８を覗く方向からセグメント表示装置８の表示部８Ａに表示された設定値を認識することが困難となるようにセグメント表示装置８の表示部８Ａの視認を阻害する。また、前面扉１ｂの開放幅を第１開放幅としたときに覗き込める視点Ａからセグメント表示装置８を覗く方向からセグメント表示装置８の表示部８Ａに表示された設定値を認識させることを妨げないようにしている。このため、前面扉１ｂの開放幅を第１開放幅としたときには、セグメント表示装置８の表示部８Ａに表示された設定値を視点Ａから覗くことができるので、店員等による確認が必要な時の視認性を担保することができる。
【００６９】
また、上記実施形態に係るスロットマシン１では、セグメント表示装置８の表示部８Ａ及びセグメント表示装置８の表示部８Ａに関する操作が行われる設定キースイッチ７やリセットスイッチ９を被覆する蓋部材５０が設けられており、蓋部材５０に没入部５３が形成されている。このため、設定キースイッチ７やリセットスイッチ９を操作するために蓋部材５０を開放することによってセグメント表示装置８の表示部８Ａを視認できる。したがって、設定変更作業などの係員等による確認が必要なときの視認性を担保することができる。なお、蓋部材５０は、設定キースイッチ７及びリセットスイッチ９を被覆しているが、これらの一方のみを被覆していてもよい。
【００７０】
また、上記実施形態に係るスロットマシン１では、セグメント表示装置８の表示部８Ａは、基板ボックス１００に収容された設定基板３に設けられており、基板ボックス１００に蓋部材５０が形成されている。このため、セグメント表示装置８の表示部８Ａの視認を阻害するための部品として、蓋部材５０を用いることができるので、新たな部品を取り付ける必要がないようにできる。
【００７１】
また、上記実施形態に係るスロットマシン１では、基板ボックス１００における蓋部材５０の蓋部５１からセグメント表示装置８の表示部８Ａに向けて形成された蓋部５１から奥方に凹む没入部５３の底板部５３Ａ及び右側板部５３Ｃによって視点Ｂから覗いたときのセグメント表示装置８の表示部８Ａの視認が阻害される。このため、基板ボックス１００の外郭（本実施形態の蓋部５１）から外方に飛び出すような部分が生じないようにできる。
【００７２】
また、基板ボックス１００内には、マイクロコンピュータ４などの遊技の進行に主要な部材が搭載された主基板２及び、設定キースイッチ７やリセットスイッチ９などの遊技店の店員等が操作を行う部材が搭載された設定基板３が設けられている。そのため、例えば、基板カバー３０に開口を形成して設定キースイッチ７やリセットスイッチ９などを基板カバー３０から露出させておくと、設定基板３に設けられた設定キースイッチ７やリセットスイッチ９などを操作しやすくなる。ところが、この基板カバー３０に形成された開口から不正用の器具などを侵入させることが考えられ、マイクロコンピュータ４などが不正に操作される恐れがある。
【００７３】
この点、上記実施形態に係るスロットマシン１では、基板ボックス１００内が隔壁４０によって主基板収容部３０Ａと設定基板収容部３０Ｂに仕切られている。このため、設定基板収容部３０Ｂにおいては、設定キースイッチ７やリセットスイッチ９の操作容易となる一方、隔壁４０が設けられていることから。主基板収容部３０Ａに対する不正な器具等の侵入を抑制することができる。したがって、マイクロコンピュータ４への不正な接触を防止することができる。
【００７４】
また、上記実施形態に係るスロットマシン１では、設定キースイッチ７及びリセットスイッチ９は、主基板２とは異なる設定基板３に設けられており、設定基板３は、主基板２が設けられる主基板収容部３０Ａとは異なる設定基板収容部３０Ｂに設けられている。このため、マイクロコンピュータ４が搭載された主基板２と同じ基板に直接操作部を接続されていないようにできる。したがって、マイクロコンピュータ４への不正な接触をさらに好適に防止することができる。
【００７５】
また、上記実施形態に係るスロットマシン１では、隔壁４０が光透過部材で形成され、透明となっている。このため、設定基板収容部３０Ｂから主基板収容部３０Ａへの収容部内の視認性を妨げないようにすることができ、マイクロコンピュータ４への不正な接触をさらに好適に防止することができる。また、隔壁４０を含む基板カバー３０は、全体として光透過性材料で形成され、透明となっている。さらには、基板カバー３０は、スロットマシンには、基板ボックス１００における取付ベース１０側が取り付けられ、基板カバー３０側は露出しているが、この露出した基板カバー３０が透明となっている。このため、基板ボックス１００の内部を全体的に視認しやすくなっているので、マイクロコンピュータ４への不正な接触をさらに好適に防止することができる。
【００７６】
また、上記実施形態に係るスロットマシン１において、基板カバー３０における天板部４１には、蓋部材５０が取り付けられ、設定基板収容部３０Ｂは、蓋部材５０を閉鎖することによって、蓋部材５０は、設定キー取付部４７の上段開口部４７Ａ、リセットスイッチ取付部４８の前端開口４８Ａ及び奥端開口４８Ｂを被覆している。このため、設定キースイッチ７やリセットスイッチ９の不正な操作を防止することができる。
【００７７】
また、上記実施形態に係るスロットマシン１において、主基板２に搭載されたマイクロコンピュータ４は、主基板２の右端部に設けられている。また、隔壁４０は、主基板２の左端部に設けられていることから、マイクロコンピュータ４は、隔壁４０からは離れた位置に配置されている。このため、設定基板収容部３０Ｂにおける開口（リセットスイッチ取付部４８の前端開口４８Ａ及び奥端開口４８Ｂ）を介して不正器具等が挿入された場合でも、マイクロコンピュータ４まで距離が長くなるので、マイクロコンピュータ４への不正な接触をさらに好適に防止することができる。
【００７８】
また、上記実施形態に係るスロットマシン１において、リセットスイッチ取付部４８は、前端開口４８Ａ及び奥端開口４８Ｂを備えており、奥端開口４８Ｂの径（幅）は、前端開口４８Ａの径（幅）よりも小さく（狭く）されている。また、前端開口４８Ａと奥端開口４８Ｂとは、側壁部４８Ｃによって接続されている。このため、遊技店の店員の指などをリセットスイッチ取付部４８に挿入しやすく、リセットスイッチ９の操作を容易にしながらも、リセットスイッチ取付部４８からの不正器具等の侵入を抑制することができ、マイクロコンピュータ４への不正な接触を防止することができる。
【００７９】
また、上記実施形態に係るスロットマシン１において、前端開口４８Ａと奥端開口４８Ｂは、いずれも略円形状に形成されている。このため、遊技店の店員等が指を挿入しようとする際に、どの方向から指を入れようとしても前端開口４８Ａや奥端開口４８Ｂに指が引っかかりにくくなる。したがって、いずれの方向からも同様にリセットスイッチ９を操作することができる。前端開口４８Ａと奥端開口４８Ｂは、いずれも円形状に形成されていてもよいし、一方が円形状、他方が略円形状であるなど、異なる形状であってもよい。なお、略円形状とは、円形に近い形状であり、例えば、楕円形や長円などを含む形状である。また、前端開口４８Ａと奥端開口４８Ｂは、円形または略円形以外の形状であってもよい。
【００８０】
奥端開口４８Ｂが前端開口４８Ａより幅が狭くなる態様として、例えば、奥端開口４８Ｂ及び前端開口４８Ａの円形の場合にはそれぞれの径を比較して、径が狭いことによってがばが狭い態様としている。また、例えば、奥端開口４８Ｂと前端開口４８Ａの形状が異なる場合には、例えば、奥端開口４８Ｂのうちの最も広い幅が前端開口４８Ａのうちの最も広い幅よりも狭くなるようにすればよい。
【００８１】
また、上記実施形態に係るスロットマシン１において、リセットスイッチ取付部４８における前端開口４８Ａと奥端開口４８Ｂを繋ぐ側壁部４８Ｃは、角部を含まず、曲面で形成されている。このため、前端開口４８Ａと奥端開口４８Ｂまで指などをスムーズに動かすことができるので、リセットスイッチ９を容易に操作することができる。
【００８２】
また、上記実施形態に係るスロットマシン１において、設定基板３には、リセットスイッチ９よりも奥側から手前方向への高さが高い（長さが長い）セグメント表示装置８が設けられている。このように、リセットスイッチ９よりも奥側から手前方向への高さが高いセグメント表示装置８が設定基板３に設けられていることにより、蓋部材５０の没入部５３によってセグメント表示装置８を被覆することで、蓋部材５０の没入部５３によってリセットスイッチ９を被覆することができる。したがって、複数の部品を好適に被覆することができる。
【００８３】
また、上記の実施形態に係るスロットマシン１において、前端開口４８Ａの幅（径）は、「指の爪のはえぎわから指先端までの中間位置における指の幅」を「指定幅」としたとき、男性の約９０％が含まれる親指の指定幅である１９ｍｍとされている。このため、ほとんどの遊技店の店員が、リセットスイッチ取付部４８に指などをスムーズに入り込ませることができる。なお、前端開口４８Ａの幅は、約９０％の男性の親指の指定幅を基準に１９ｍｍに設定したが、他の数値に設定してもよい。例えば、約９０％の男性の小指の指定幅を基準に１３ｍｍとしてもよし、約９０％の男性の人差し指の指定幅を基準に１５ｍｍとしてもよい。また、約９０％の女性の親指や人差し指の指定幅を基準に１７ｍｍや１５ｍｍなどとしてもよい。また、奥端開口４８Ｂの幅がこれらの幅であり、前端開口４８Ａの幅は、これらより広くてもよい。
【００８４】
なお、今回開示された実施の形態はすべての点で例示であって制限的なものではないと考えられるべきである。本発明の範囲は上記した説明ではなく特許請求の範囲によって示され、特許請求の範囲と均等の意味及び範囲内でのすべての変更が含まれることが意図される。
【００８５】
例えば、上記の実施形態のスロットマシン１では、蓋部材５０の没入部５３における右側板部５３Ｃは、透明であるが、透明でなくてもよい、例えば、光透過率を低減させるように、目隠しシールを貼り付けたり、有色に塗装したり、偏光レンズを設けたりしてもよいし、光を透過させないようにしてもよい。また、蓋部材５０における蓋部５１についても同様に、光透過率を低減させ、あるいは光を透過させないようにしてもよい。
【００８６】
また、セグメント表示装置８の表示部８Ａには、１つの「８」の文字の７セグメントによって１桁の数字等が表示可能とされているが、１桁以外の数字等が表示可能とされていてもよい。例えば、セグメント表示装置８の表示部８Ａには、２桁、３桁、または４桁以上の数字等が表示可能とされていてもよい。さらに、これらの複数桁の数字等が表示可能とされている例においては、視点Ｂからは、複数桁のうちの一部の桁が阻害部によって委任が阻害されるようにしてもよい。なお、複数の桁の７セグメントに文字を表示する場合には、「桁」ではなく、複数の文字列が表示されることになる。
【００８７】
また、セグメント表示装置８に表示される内容は設定値であるが、他の内容でもよい。例えば、いわゆる機械割（払出率）、有利区間の滞在割合、遊技機がパチンコ遊技機等である場合における役比や連比、大当り遊技状態や確変遊技状態（高確率状態）、時短有利状態（高ベース状態）の滞在率など、遊技の履歴に関する遊技履歴情報であってもよい。遊技履歴情報は、遊技店の店員等は視認する必要がある反面、不正を働こうとする者には視認できなくしたい情報である。このような情報に対して、セグメント表示装置８の表示部８Ａは、前面扉１ｂの開放幅が第２開放幅であるときに、前面扉１ｂの開放幅が第１開放幅であるときよりも視認し難くなるように没入部５３の底板部５３Ａ、右側板部５３Ｃ、さらに蓋部５１によって視認が阻害される。したがって、遊技機の内部に設けられた表示部に表示する表示内容をこっそり視認し難くすることができる。また、表示部８Ａは、セグメント表示装置８の表示部８Ａ以外のものでもよい。例えば、液晶表示装置の表示部でもよいし、ランプによる表示部でもよい。
【００８８】
なお、役比とは、払出遊技媒体数（払い出しメダル数）のうち、有利状態（有利区間）中に払い出されたメダルの数の割合をいう。連比とは、払出遊技媒体数（払い出しメダル数）のうち、連続する有利状態（有利区間）中に払い出されたメダルの数の割合をいう。なお、遊技機はパチンコ遊技機であってもよく、その場合、役比とは、賞球合計数のうち電動役物（電チュー、アタッカー）への入賞による賞球数が占める割合である。また、連比とは、賞球合計数のうち大入賞口（アタッカー）への入賞による賞球数が占める割合である。
【００８９】
また、上記の実施形態のスロットマシン１では、阻害部は、没入部５３によって構成されているが、他の物で構成されていてもよい。例えば、リセットスイッチや設定キースイッチなどが阻害部となってもよいし、基板に設けられるデバイス、例えばコンデンサ、抵抗、トランジスタなどが阻害部となってもよい。
【００９０】
また、阻害部は、筐体１ａ内に引き回される配線や配線を止めるブラケットなどであってもよい。あるいは、筐体１ａ内に設けられる小さなリール（いわゆるミニリール）、演出用のリール等であってもよい。また、阻害部は、没入部５３として基板ボックス１００から飛び出さないようにされているが、基板ボックス１００から飛び出す突出部を阻害部としてもよい。あるいは、基板ボックスの表面における平坦部であってもよい。この場合、基板ボックスの平坦部に光透過部と光非透過部とを形成して、光非透過部を阻害部としてもよい。また、没入部や突出部に光透過部と光非透過部を設けて光非透過部を阻害部としてもよい。
【００９１】
また、上記の実施形態のスロットマシン１では、視点Ａ及び視点Ｂを基板ボックス１００を同じ高さ位置としているが、視点Ａと視点Ｂを基板ボックス１００と異なる高さ位置としてもよい。例えば、視点Ａと視点Ｂが基板ボックス１００より高い位置に設定するときには、阻害部をセグメント表示装置８の右上方に配置するようにしてもよい。
【００９２】
例えば、上記の実施形態のスロットマシン１では、設定基板３には、設定キースイッチ７、セグメント表示装置８、及びリセットスイッチ９が設けられているが、他の装置が設けられていてもよい。例えば、スロットマシンに発生したエラー状態を解除するためのエラー解除スイッチ、又はエラーが解除された際に遊技の再開を承認するための確認スイッチなどが設けられていてもよい。このエラースイッチは、例えば、リセットスイッチ９が取り付けられたリセットスイッチ取付部４８に設けられていてもよい。
【００９３】
また、上記の実施形態のスロットマシン１では、設定キースイッチ７、セグメント表示装置８、及びリセットスイッチ９は、いずれも設定基板３に設けられ、主基板側コネクタ及び設定基板側コネクタ６を介して主基板２に搭載されたマイクロコンピュータ４に接続されているが、他の態様でもよい。例えば、主基板２に設定キースイッチ７、セグメント表示装置８、及びリセットスイッチ９が搭載され、主基板２におけるマイクロコンピュータ４が搭載された部分を主基板収容部３０Ａに収容し、設定キースイッチ７、セグメント表示装置８、及びリセットスイッチ９が設けられた部分を設定基板収容部３０Ｂに収容するようにしてもよい。また、設定キースイッチ７、セグメント表示装置８、及びリセットスイッチ９が主基板２や設定基板３などの基板には搭載されていないが、配線を介して主基板２に搭載されたマイクロコンピュータ４に接続されていてもよいし、主基板２以外の基板を介在させて、主基板２に搭載されたマイクロコンピュータ４に接続されていてもよい。また、マイクロコンピュータ収容部に収容されるマイクロコンピュータは、主基板２に搭載され、遊技の進行を制御するマイクロコンピュータ以外のマイクロコンピュータ、例えば、主にスロットマシンの演出を制御する遊技制御基板におけるマイクロコンピュータなどでもよい。
【００９４】
また、上記の実施形態のスロットマシン１では、基板カバー３０が光透過性材料で形成され、取付ベース１０及び基板ケース２０が光非透過性材料で形成されているが、基板カバー３０が光非透過性材料で形成されていてもよいし、取付ベース１０及び基板ケース２０が光透過性材料で形成されていてもよい。また、取付ベース１０、基板ケース２０、及び基板カバー３０の一部が光透過性材料で形成され、他の一部が光非透過性材料で形成されていてもよい。
【００９５】
また、上記の実施形態のスロットマシン１では、基板ボックス１００に収容された遊技制御基板は主基板２であるが、他の基板でもよい。例えば、主に遊技機の演出の制御を司る演出制御基板でもよいし、音声制御を行う音声制御基板やランプ制御を行うランプ制御基板、さらには、遊技価値（メダルや遊技球）の払出制御を行う払出基板でもよい。また、基板ボックス１００に収容された操作基板は設定基板３であるが、操作が可能な操作部を備える基板であれば、他の基板でもよい。例えば、音声制御基板や払出基板などに操作部が設けられていれば、これらの基板が操作基板であってもよい。
【００９６】
［パチンコ遊技機、雀球、アレパチなどの遊技機について］
基板ボックス１００は、パチンコ遊技機、雀球、アレパチなどの遊技機に適用してもよい。雀球、アレパチなどの遊技機とは、例えば、基板ボックス１００が、パチンコ遊技機の遊技盤の裏側などに設けられているものである。このようなパチンコ遊技機、雀球、アレパチなどの遊技機においては、基板ボックス１００が設けられることにより、演出効果をさらに高めることができる。
【００９７】
次に、前述した実施の形態により得られる主な効果を説明する。
（１１）本発明の遊技機は、遊技を行う遊技機（例えば、スロットマシン１等）であって、
開閉可能な前面ドア（例えば、前面扉１ｂ等）が取り付けられた本体部（例えば、筐体１ａ等）と、
前記本体部の内部で所定情報（例えば、設定値等）を表示する表示部（例えば、セグメント表示装置８における表示部８Ａ等）と、
前記所定情報の視認を阻害可能な阻害部（例えば、蓋部材５０における没入部５３の底板部５３Ａ及び右側板部５３Ｃ等）と、を有し、
前記表示部に表示される前記所定情報は、前記前面ドアの開放幅が所定幅であるときに、前記前面ドアの開放幅が前記所定幅より広い特定幅であるときよりも視認し難くなるように前記阻害部によって視認が阻害される（例えば、セグメント表示装置８の表示部８Ａは、前面扉１ｂの開放幅が第２開放幅であるときに、前面扉１ｂの開放幅が第１開放幅であるときよりも視認し難くなるように没入部５３の底板部５３Ａ、右側板部５３Ｃ、さらに蓋部５１によって視認が阻害される等）ことを特徴とする。
【００９８】
このような構成によれば、遊技機の内部に設けられた表示部に表示する表示内容をこっそり視認し難くすることができる。
【００９９】
（１２）上記（１１）に記載の遊技機において、前記阻害部は、前記前面ドアの開放幅が前記所定幅であるときに前記所定情報を覗き込める所定位置と前記表示部とを結ぶ直線上に設けられる（例えば、視点Ｂとセグメント表示装置８を結ぶ直線上には、蓋部材５０における没入部５３の底板部５３Ａ及び右側板部５３Ｃが介在される等）ことにより、前記所定情報の視認を阻害する(没入部５３の底板部５３Ａ、右側板部５３Ｃにより、視点Ｂからセグメント表示装置８の表示部８Ａの視認を阻害する等)ようにしてもよい。
【０１００】
このような構成によれば、特定方向からは認識できるので、係員等による確認が必要な時の視認性が担保される。
【０１０１】
（１３）上記（１１）または（１２）の遊技機において、前記表示部と、前記所定情報に関する操作が行われる操作部（例えば、設定キースイッチ７及びリセットスイッチ９等）と、を被覆する被覆部（例えば、蓋部材５０等）を有し、
前記阻害部は前記被覆部に設けられている（例えば、蓋部材５０に没入部５３が設けられている等）ようにしてもよい。
【０１０２】
このような構成によれば、被覆を解除されば視認でき、係員等による確認が必要な時の視認性が担保される。
【０１０３】
（１４）上記（１１）〜（１３）のいずれかの遊技機において、前記表示部は、基板ボックス（例えば、基板ボックス１００等）に収容された基板（例えば、設定基板３等）に設けられており、
前記阻害部は前記基板ボックスに設けられている（例えば、基板ボックス１００における蓋部材５０に没入部が設けられている等）ようにしてもよい。
【０１０４】
このような構成によれば、表示部の視認を阻害するための部品を新たに取り付ける必要がないようにできる。
【０１０５】
（１５）上記（１４）において、前記阻害部は、前記基板ボックスの外郭（例えば、基板ボックス１００における蓋部材５０の蓋部５１等）から前記表示部に向いた壁部（例えば、基板ボックス１００の蓋部材５０における蓋部５１から奥方に凹む没入部５３の底板部５３Ａ及び右側板部５３Ｃ等）により構成されているようにしてもよい。
【０１０６】
このような構成によれば、基板ボックス外郭から外方に飛び出すような部分が生じないようにできる。
【０１０７】
（２１）本発明の遊技機は、遊技機の制御を行うマイクロコンピュータ（例えば、マイクロコンピュータ４等）が搭載された制御基板（例えば、主基板２等）が少なくとも収容された基板ボックスを備える遊技機であって、
前記基板ボックスには、所定操作が可能な操作部（例えば、設定キースイッチ７、リセットスイッチ９等）がさらに収容され、
前記基板ボックスの外部から前記操作部を操作可能とする開口（例えば、設定キー取付部４７の上段開口部４７Ａ、リセットスイッチ取付部４８の前端開口４８Ａ及び奥端開口４８Ｂ等）が形成されており、
前記基板ボックスの収容部は、前記マイクロコンピュータの搭載箇所を含む制御部収容部（例えば、主基板収容部３０Ａ等）と前記操作部が収容された操作部収容部（例えば、設定基板収容部３０Ｂ等）とに隔壁（例えば、隔壁４０等）により仕切られていることを特徴とする遊技機。
【０１０８】
このような構成によれば、マイクロコンピュータへの不正な接触を防止することができる。
【０１０９】
（２２）上記（２１）に記載の遊技機において、前記マイクロコンピュータが搭載された遊技制御基板（例えば、主基板２等）と、前記操作部が搭載された操作基板（例えば、設定基板３等）をさらに備え、
前記遊技制御基板は、前記マイクロコンピュータ収容部に収容され（例えば、主基板２が、主基板収容部３０Ａに収容されている等）、
前記操作基板は、前記操作部収容部に収容されている（例えば、設定基板３が、設定基板収容部３０Ｂに収容されている等）ようにしてもよい。
【０１１０】
このような構成によれば、マイクロコンピュータが搭載された基板と同じ基板に直接操作部を接続されていないようにできる。
【０１１１】
（２３）上記（２１）または（２２）の遊技機において、前記隔壁は、光透過部材で形成されている（例えば、隔壁４０が透明である等）ようにしてもよい。
【０１１２】
このような構成によれば、収容部内の視認性を妨げないようにすることができる。
【０１１３】
（２４）上記（２１）〜（２３）のいずれかの遊技機において、前記開口を被覆する被覆部材（例えば、蓋部材５０等）をさらに備えるようにしてもよい。
【０１１４】
このような構成によれば、操作部への不正な侵入を制限することができる。
【０１１５】
（２５）上記（２１）〜（２４）のいずれかの遊技機において、前記マイクロコンピュータは、前記隔壁から離れた位置に配置されている（例えば、マイクロコンピュータ４は、隔壁４０から離れた主基板２の左端部に配置されている等）ようにしてもよい。
【０１１６】
このような構成によれば、マイクロコンピュータへの不正な接触を防止することができる。
【０１１７】
（３１）本発明の遊技機は、所定操作が可能な操作部（例えば、リセットスイッチ９等）が設けられた基板（例えば、設定基板３等）が収容された基板ボックスを備える遊技機であって、
前記基板ボックスの特定面（例えば、基板カバー３０の下段部４３等）には、凹部（例えばリセットスイッチ取付部４８）が設けられ、
前記凹部には、前記基板ボックスの外部から前記操作部を操作可能とする開口（例えば、奥端開口４８Ｂ等）が形成されており、
前記開口の幅は、前記凹部の幅よりも狭い（例えば、奥端開口４８Ｂの径は、前端開口４８Ａ及び側壁部４８Ｃの径より小さい等）ことを特徴とする遊技機。
【０１１８】
このような構成によれば、マイクロコンピュータへの不正な接触を防止することができる。
【０１１９】
（３２）上記（３１）に記載の遊技機において、前記凹部及び前記開口は、それぞれ円形状または略円形状に形成されている（例えば、前端開口４８Ａ、奥端開口４８Ｂ、及び側壁部３８Ｃは、いずれも略円形状をなしている等）ようにしてもよい。
【０１２０】
このような構成によれば、いずれの方向からも同様に操作部を操作することができる。
【０１２１】
（３３）上記（３１）または（３２）の遊技機において、前記凹部における前記特定面側の端部から前記開口に連なる領域は、角部を含まない（例えば、接続部４Ｃは、角の無いなめらかな曲面状をなしている等）ようにしてもよい。
【０１２２】
このような構成によれば、凹部の特定面側の端部から開口までスムーズに指などを動かすことができる。
【０１２３】
（３４）上記（３１）〜（３３）のいずれかの遊技機において、前記凹部における前記特定面側の端部から前記開口に連なる領域は、曲面で形成されている（例えば、接続部４７Ｃは、角の無いなめらかな曲面状をなしている等）ようにしてもよい。
【０１２４】
このような構成によれば、凹部の特定面側の端部から開口までスムーズに指などを動かすことができる。
【０１２５】
（３５）上記（３１）〜（３４）のいずれかの遊技機において、前記基板には、前記操作部よりも前記基板から前記基板ボックスの外側面に向けた方向への長さが長い部品（例えば、セグメント表示装置８等）が搭載されているようにしてもよい。
【０１２６】
このような構成によれば、部品を好適に被覆することができる。
【０１２７】
（３６）上記（３１）〜（３５）のいずれかの遊技機において、前記凹部の幅は、１９ｍｍ以上である（例えば、奥端開口４８Ｂの径は、例えば１９ｍｍとされている等）ようにしてもよい。
【０１２８】
このような構成によれば、凹部に指などをスムーズに入り込ませることができる。
【０１２９】
また、上記（１１）〜（１５）（２１）〜（２５）、（３１）〜（３６）を適宜組み合わせるようにしてもよい。
【符号の説明】
【０１３０】
１  スロットマシン
２  主基板
２Ａ  右側溝部
３  設定基板
３Ａ  左側溝部
４  マイクロコンピュータ
７  設定キースイッチ
７Ａ  シリンダ部
７Ｂ  キー挿入孔
７Ｃ  シリンダ搭載台
８  セグメント表示装置
８Ａ  表示部
９  リセットスイッチ
９Ａ  ボタン搭載部
９Ｂ  ボタン
１０  取付ベース
２０  基板ケース
３０  基板カバー
３０Ａ  主基板収容部
３０Ｂ  設定基板収容部
４０  隔壁
４０Ａ  切欠部
４１  天板部
４２  上段部
４３  下段部
４７  設定キー取付部
４７Ａ  上段開口部
４８  リセットスイッチ取付部
４８Ａ  前端開口
４８Ｂ  奥端開口
４８Ｃ  側壁部
５０  蓋部材
５１  蓋部
５３  没入部
５３Ａ  底板部
５３Ｃ  右側板部
１００  基板ボックス
【図１】
2019058277.tif 000003
【図２】
2019058277.tif 000004
【図３】
2019058277.tif 000005
【図４】
2019058277.tif 000006
【図５】
2019058277.tif 000007
【図６】
2019058277.tif 000008
【図７】
2019058277.tif 000009
【図８】
2019058277.tif 000010
【図９】
2019058277.tif 000011
【図１０】
2019058277.tif 000012
【図１１】
2019058277.tif 000013